(57)【要約】      （修正有）【課題】養生機本体を備える多機能人体制御経絡養生機を提供する。【解決手段】養生機本体１は、内部に配線板１．１が設けられるケース１．２と、ケースに合わせてケースを閉じるための蓋体１．３とを備える。ケースには、パネル２が設けられる。パネルには、配線板に電気的接続される電源コンセント３と電源スイッチ１３が設けられる。ケースの一側面には、係止部４と、一つのグリップ５が設けられる。蓋体の一側面には、係止部に対応する固定部６が設けられる。パネルには、配線板に電気的接続され、作用電流と作用電圧をそれぞれ監視する電流計７及び電圧計８、配線板に電気的接続され、入力電圧を調節するための電圧調節ノブ９が、配線板に電気的接続され、養生機本体の電源のオンとオフを制御するための過負荷保護装置１０、配線板に電気的接続されるタイマー１２、及び、音楽再生装置１１がさらに設けられる。【選択図】図１
2017189343.tif 000002
【特許請求の範囲】
【請求項１】
内部に配線板が設けられるケースと前記ケースに合わせてケースを閉じるための蓋体とを備える養生機本体を有し、前記ケースには、パネルが設けられ、前記パネルには、配線板に電気的接続される電源コンセントと電源スイッチが設けられる多機能人体制御経絡養生機であって、
前記ケースの一側面には、係止部と、一つのグリップが設けられ、
前記蓋体の一側面には、係止部に対応する固定部が設けられ、
前記パネルには、配線板に電気的接続されて、作用電流と作用電圧をそれぞれ監視する電流計及び電圧計がさらに設けられ、
前記パネルには、配線板に電気的接続されて、入力電圧を調節するための電圧調節ノブがさらに設けられ、
前記パネルには、配線板に電気的接続されて、養生機本体の電源のオンとオフを制御するための過負荷保護装置がさらに設けられ、
前記パネルには、配線板に電気的接続されるタイマーがさらに設けられ、
前記パネルには、音楽再生装置がさらに設けられる、こと特徴とする多機能人体制御経絡養生機。
【請求項２】
前記ケースの一端は、蓋体の一端にヒンジ接続される、ことを特徴とする請求項１に記載の多機能人体制御経絡養生機。
【請求項３】
前記パネルは、ねじ接続によって前記ケースの上面に固定されている、ことを特徴とする請求項１に記載の多機能人体制御経絡養生機。
【請求項４】
前記過負荷保護装置は、回路遮断器を備える、ことを特徴とする請求項１に記載の多機能人体制御経絡養生機。
【請求項５】
前記回路遮断器は、パネルの左下隅に位置して、かつ電源コンセントに近い位置に設けられる、ことを特徴とする請求項４に記載の多機能人体制御経絡養生機。
【請求項６】
前記電圧調節ノブは、パネルの中間位置にある、ことを特徴とする請求項１に記載の多機能人体制御経絡養生機。
【請求項７】
前記タイマーは、電圧調節ノブの下方にある、ことを特徴とする請求項６に記載の多機能人体制御経絡養生機。
【請求項８】
前記音楽再生装置は、パネルの右上隅に位置し、かつ電流計に近い位置に設けられる、ことを特徴とする請求項１に記載の多機能人体制御経絡養生機。
【発明の詳細な説明】
【技術分野】
【０００１】
本発明は、養生機に関し、具体的に多機能人体制御経絡養生機に関する。 
【背景技術】
【０００２】
現在、健康意識の高まり及び科学技術の発達に伴って、健康を気にする人間が増加している。人体に危害が加わる様々な医薬品の毒性副作用には注意が高まっている。副作用がなく、汚染がなく、効果が速い非薬物治療方法が望まれている。
【０００３】
したがって、多数の治療方法及び健康療法に基づいて、電気エネルギーを利用して人体の健康維持及び患者の治療を行う養生機が既に開発されている。しかし、従来の養生機は、使用時に機能が単一であるという問題を有し、電気治療の機能のみを有し、異なる人間の使用要求を満たすことができなかった。
【発明の概要】
【発明が解決しようとする課題】
【０００４】
本発明の目的は、上記従来技術の欠点を解決するために、機能が多様化し且つ使用を便利にさせる多機能人体制御経絡養生機を提供することである。
【課題を解決するための手段】
【０００５】
本発明の技術案は下記の通りである。多機能人体制御経絡養生機は、内部に配線板が設けられるケースと、ケースに合わせてケースを閉じるための蓋体とを備える養生機本体を有し、前記ケースには、パネルが設けられ、前記パネルには、配線板に電気的接続される電源コンセントと電源スイッチとが設けられる。前記ケースの一側面には、係止部と、一つのグリップとが設けられる。前記蓋体の一側面には、係止部に対応する固定部が設けられる。前記パネルには、配線板に電気的接続され、作用電流と作用電圧をそれぞれ監視する電流計及び電圧計がさらに設けられる。前記パネルには、配線板に電気的接続され、入力電圧を調節するための電圧調節ノブがさらに設けられる。前記パネルには、配線板に電気的接続され、養生機本体の電源のオンとオフを制御するための過負荷保護装置がさらに設けられる。前記パネルには、配線板に電気的接続されるタイマーがさらに設けられる。前記パネルには、音楽再生装置がさらに設けられる。
【０００６】
さらに、前記ケースの一端は、蓋体の一端にヒンジ接続される。
【０００７】
さらに、前記パネルは、ねじ接続によってケースの上面に固定されている。
【０００８】
さらに、前記過負荷保護装置は、回路遮断器を備える。
【０００９】
さらに、前記回路遮断器は、パネルの左下隅にあって、電源コンセントに近い位置に設けられる。
【００１０】
さらに、前記電圧調節ノブは、パネルの中間位置にある。
【００１１】
さらに、前記タイマーは、電圧調節ノブの下方にある。
【００１２】
さらに、前記音楽再生装置は、パネルの右上隅に位置し、電流計に近い位置に設けられる。
【００１３】
本発明の多機能人体制御経絡養生機によれば、以下のような効果が奏される。ケースの一側面に係止部と一つのグリップが設けられ、蓋体の一側面に係止部に対応する固定部が設けられるので、多機能人体制御経絡養生機の持ち運びに便利になる。パネルには、配線板に電気的接続され、作用電流と作用電圧をそれぞれ監視する電流計及び電圧計がさらに設けられるので、多機能人体制御経絡養生機の作動が正常か否かを観察することを容易にする。パネルには、配線板に電気的接続され、入力電圧を調節するための電圧調節ノブがさらに設けられ、異なる需要性に応じて入力電圧を調節できるので、適切な出力電流を調節できる。パネルには、配線板に電気的接続され、養生機本体の電源のオンとオフを制御するための過負荷保護装置がさらに設けられるので、多機能人体制御経絡養生機の耐用年数を向上できる。パネルには、配線板に電気的接続されるタイマーがさらに設けられるので、多機能人体制御経絡養生機の作動時間を制御できる。パネルには、音楽再生装置がさらに設けられるので、ユーザーが多機能人体制御経絡養生機を使用するときに音楽を聴取することを容易にする。以上のようにして、本発明は、機能が多様化し、使用を便利にしている。
【図面の簡単な説明】
【００１４】
【図１】本発明の全体構成の模式図である。
【発明を実施するための形態】
【００１５】
以下、本発明の技術案をより直感的かつ十分に理解するように、添付の図面を参照して非限定的な特徴を説明する。
【００１６】
図１に示すように、多機能人体制御経絡養生機は、養生機本体１を備える。養生機本体１は、内部に配線板１．１が設けられるケース１．２と、ケース１．２に合わせてケース１．２を閉じるための蓋体１．３とを備える。ケース１．２には、パネル２が設けられる。パネル２には、配線板１．１に電気的接続される電源コンセント３と電源スイッチ１３とが設けられる。ケース１．２の一側面には、係止部４と、一つのグリップ５とが設けられる。蓋体１．３の一側面には、係止部４に対応する固定部６が設けられる。パネル２には、配線板１．１に電気的接続され、作用電流と作用電圧をそれぞれ監視する電流計７及び電圧計８がさらに設けられる。パネル２には、配線板１．１に電気的接続され、入力電圧を調節するための電圧調節ノブ９がさらに設けられる。パネル２には、配線板１．１に電気的接続され、養生機本体１の電源のオンとオフを制御するための過負荷保護装置１０がさらに設けられる。パネル２には、配線板１．１に電気的接続されるタイマー１２がさらに設けられる。パネル２には、音楽再生装置１１がさらに設けられる。養生機本体１は、中性線コンセントと活線コンセントとをさらに備える。中性線コンセント及び活線コンセントは、パネル２の右下隅にある。中性線コンセントと活線コンセントには、出力ケーブルが挿入される。
【００１７】
ケース１．２の一端は、蓋体１．３の一端にヒンジ接続される。ケース１．２と蓋体１．３は枢動して合わせて、蓋体１．３の回転により、ケース１．２を開閉させる。
【００１８】
パネル２は、容易に脱着されるように、ねじ接続によってケース１．２の上面に固定されている。
【００１９】
過負荷保護装置１0は、回路遮断器１０１を備える。回路遮断器１０１は、パネル２の左下隅にあって、電源コンセント３に近い位置に設けられる。回路遮断器１０１は、回路の過負荷の場合に、電源をオフにする。
【００２０】
電圧調節ノブ９は、パネル２の中間位置にあって、タイマー１２は、電圧調節ノブ９の下方にある。使用時には、電圧調節ノブ９の回転により、入力電圧の大きさを調節する。これによって、出力電流を変化させ、異なる利用者の使用を容易にする。
【００２１】
音楽再生装置１１は、パネル２の右上隅に位置し、電流計７に近い位置に設けられ、ユーザーが多機能人体制御経絡養生機を使用するときに音楽を聴取することを容易にする。
【００２２】
また、本発明は、経絡調節、鎮痛、血液循環の促進及び身体浄化などの機能をさらに有する。
【００２３】
本発明による多機能人体制御経絡養生機は、ケース１．２の一側面に係止部４と一つのグリップ５が設けられ、蓋体１．３の一側面に係止部４に対応する固定部６が設けられるので、多機能人体制御経絡養生機の持ち運びに便利になる。パネル２には、配線板１．１に電気的接続され、作用電流と作用電圧をそれぞれ監視する電流計７及び電圧計８がさらに設けられるので、多機能人体制御経絡養生機の作動が正常か否かを観察することを容易にする。パネル２には、配線板１．１に電気的接続され、入力電圧を調節するための電圧調節ノブ９がさらに設けられ、異なる需要性に応じて入力電圧を調節できるので、適切な出力電流を調節できる。パネル２には、配線板１．１に電気的接続され、養生機本体１の電源のオンとオフを制御するための過負荷保護装置１０がさらに設けられるので、多機能人体制御経絡養生機の耐用年数を向上できる。パネル２には、配線板１．１に電気的接続されるタイマー１２がさらに設けられるので、多機能人体制御経絡養生機の作動時間を制御できる。パネル２には、音楽再生装置１１がさらに設けられるので、ユーザーが多機能人体制御経絡養生機を使用するときに音楽を聴取することを容易にする。以上のようにして、本発明は、機能が多様化し、使用を便利にしている。
【００２４】
勿論、上記は本発明の好ましい実施例のみであり、本発明の実施範囲を限定するものではない。本発明の明細書及び図面に基づいて得られる簡単な変更及び同等の構造も、全て本発明の範囲内のものである。
【符号の説明】
【００２５】
１  養生機本体
１．１  配線板
１．２  ケース
１．３  蓋体
２  パネル
３  電源コンセント
４  係止部
５  グリップ
６  固定部
７  電流計
８  電圧計
９  電圧調節ノブ
１０  過負荷保護装置
１０１  回路遮断器
１１  音楽再生装置
１２  タイマー
１３  電源スイッチ
【図１】
2017189343.tif 000003